(57)【特許請求の範囲】
【請求項１】
海中発電船内に逆設置お椀型回転扇を設置し、その回転扇内側部分の「海中浮力安定固定内水槽」内に独立設置された「外海海水直接侵入貯留水槽」を設置し、この水槽内への外海よりの海水の流入排出は「海水流入調整口」にて行なう事とし、常時「回転扇内第１浮力空間」の確保と自然の摂理となる「外海喫水線」とほぼ同水位となる「回転扇内海上喫水線」が出現し、この喫水線海中部分に発動機蓄電装置稼動「回転モーター」に依る「回転稼動強化ギア装置」の回転稼動となり、まずこの下側設置の「浮力活用海中空間」の浮力活用をした「円型鋼鉄容器」数十ｔの回転稼動の現出となる。
次に「外海喫水線」より数ｍ下部分に「海中浮力安定固定内水槽」を設置し、この水槽内に「海中安定水槽喫水線」を現出し、この喫水線上にお椀型回転扇の外扇部分の設置を行ない、「回転扇内第１浮力空間」「回転扇内第二浮力空間」「回転モーター室空間」各々が出現し、特に「円型鋼鉄容器」数十ｔの安定回転稼動の為に設置される「浮力活用海中空間」部分の設置稼動と本回転扇発電の大切な要素となる確実な中心軸の設置現出となる外海直結「回転扇内第１浮力空間」「回転扇内海上喫水線」双方の常時安定確保、安定稼動力が、同時に「海中安定水槽喫水線」上に設置される「外回転扇」内「回転扇内第二浮力空間」の安定確保となり、外周部分設置の「高圧海水噴出機」よりの噴出が繰り返される事に依る「浮力創出空間」の設置活用に依る回転力と、確実な中心軸の安定確保双方の相乗効果が「円型鋼鉄容器」の殆んど振れない高速回転の現出となる。
そして大量の「高圧海水噴出機」より噴出される高圧海水は「海中安定水槽喫水線」上に落下噴出が繰り返される事となりこの喫水線の調整は「調整水槽内海中空間」「船内創出浮力調整水槽」各々の設置活用に依る安定した「発電船内喫水線」の安定確保となる「海上喫水線二段設置活用回転扇発電」に依る発電方法
【発明の詳細な説明】
【技術分野】
【０００１】  海上海中部分に海中船を設置し、その内部を図１の通り二段の喫水線の設置を行なう事とし、その喫水線落差の活用に依る回転扇稼動の回転負荷の大幅な軽減を行なう事とする。【０００２】  従来の回転扇設備を上下逆設置を行ない、従来では不可能な設置方法が本申請の通り二段喫水線の設置に依り、充分に本申請方法の設置方法が可能となる。【０００３】  以上の通り図１にて説明する。【０００４】  本申請の回転扇稼動方法は、まず海中部分に完全固定設置がされた「海中発電船」内に「外海海水直接侵入貯留水槽」を図の通り設置を行ない、まず回転扇内の内側部分に外海喫水線と同水位となる自然な「回転扇内海上喫水線」の設置が回転扇内に出現する。
そして自然な形での回転扇の中心軸が出現設置される事となり、次に本申請の通りのこの「回転扇内海上喫水線」より数ｍ下段に「発電船内喫水線」の設置をし、この喫水線は「海中浮力安定固定内水槽」内に設置される事とし、この喫水線上部分に図１の通り「回転扇内第１浮力空間」「回転扇内第二浮力空間」双方の浮力創出空間の重量物体である「回転扇」に対しての強力な浮力を創出する為に、回転扇を逆設置の形で設置を行ない大容量「浮力創出空間」の活用に依る軽快な回転稼動を目指す事とすると同時に重要な重心となる「円型鋼鉄容器」も段々と高速回転となり、次第に三者稼動力の相乗効果に依る爆発的な回転稼動力の現出となる。【０００５】関連特許
【特許文献】４件  特許第４９９３０２７号  平成２４年５月１８日認定登録日  「回転扇発電に於ける大容量発電と大量排海水処理の全体構想」  申請者  島  晴勇  特許第４９７４０１７号  平成２４年４月２０日認定登録日  「扇形浮力船回転式ドラム缶水流発電機」  申請者  島  晴勇  特許第５０３０００７号  平成２４年７月６日認定登録日  「海水圧高圧噴出発電装置」  申請者  島  晴勇  特許第５４０８５７５号  平成２５年１１月１５日認定登録日  『海中空間部分への「海中浮力回転容器」の設置  申請者  島  晴勇
【発明の概要】
【発明が解決しようとする課題】  将来の強力な発電装置設備となる回転扇発電等のより良い強力な発電方法を思考中に、従来の回転扇方法に於いての広大な回転扇内空間の活用方法を思考中に偶然に回転扇の逆設置方法に依る大容量空間自体の創出活用を発見したものであり、本申請の二段喫水線設置の活用を行なう事を同時に行なえば実現する事を同時に発見したものである。
【課題を解決するための手段】  確実な各々上下喫水線の常時確保を安定した状態で確保する為に１番大切な海中発電船本体の確実な海中固定設置の為に、図１の通り海中発電船内に設置された「船内創出浮力調整水槽」を設置し、その水槽内に海水の流入に依る「水槽内喫水線」部分を設置をし、「調整水槽内海中空間」を創出設置をし、この海中空間設置に依る強烈な浮力の現出と同時に本海中船本体を数十箇所の巨石等の入った重量物容器等の海底投入設置物をロープ等にて連結設置を行ない、確実で完全な海中発電船の重力活用設置を行ない、安定した発電船内の「外海海水直接侵入貯留水槽」「海水浮力安定固定内水槽」双方に順次海水の流入を行ない安定した両喫水線の出現となる。
この両喫水線の水位差活用に依る軽快な回転扇発電の現出となる。
【発明の効果】  現在の発電の殆どは高温高圧水蒸気活用発電であり、約５５％熱源が無策意に大気に放出されている現実がある。
現在のこの蒸気タービンに直接噴出を行ない発電を行なう為に、この蒸気タービン重量は大変に軽量となりせいぜい数百ｋｇ〜数ｔの重量でしか無く、本回転扇発電の発想は正に自動車の自然な加速力の活用と同様な現象を海中部分に出現さす事を考案したものである。
まず本「回転扇発電」を行なう為に海上海中部分に全く″振れ″″振動″等の無い二槽の貯留水槽を〔図１〕の通り設置をし、次に車には実現不可能な二段エンジンとなる「高圧噴射機」数十基の設置と、「回転稼動強化ギア装置」稼動の為の回転モーターを回転扇内に設置をし、双方の稼動力にて回転稼動が行なわれる事とする。
次に車の最重要な自然の加速力に匹適する部分となる大切な「円型鋼鉄容器」の設置を行ない、この容器には数百ｔの重量物が設置される事となる。
当然これだけの重量物に依る重量負荷の軽減の為の「浮力活用海中空間」部分と回転扇内に出現する広大な「浮力創出空間」部分双方の強力な浮力を活用する事とする為に図１の通り二段階の喫水線設置を行ない、当然この「浮力創出空間」の良りよい活用出現の為に、確実な海中発電船の海中海底固定、そして二槽の各貯留水槽の設置が行なわれる事とする
そしてこの数百ｔの「円型鋼鉄容器」が自然海中の水中浮力の働きに依り軽快な回転稼動力が海中で出現すればこの回転稼動力は陸上設置での回転稼動力と何ら遜色の無い海上空間発電船内での回転発電の出現となり、これが陸上設置の空間活用設置では全く考える事自体が不可能となる。
これだけの重量の回転物より起因する最大の懸案事項である回転摩擦等も海中に於いては全く心配無用となる。
そして簡単にその数百ｋｇの蒸気タービン活用での爆発力を活用した千数百度の高圧蒸気の爆発力活用発電と比較をしても全く比較にならず、赤ちゃんと大人の力比べと同じ位の発電力の差が現実となる。
本海中発電の発見に依り、日本は広大な海域海中を魚類達と同様に謳歌する事となる。
【図面の簡単な説明】
【図１】海上部分に浮力、重力双方の活用を行ない確実に海中発電船が海上海中部分に設置される事とする。その発電船内に二層の海水の流入を図の通り行ない、「回転扇内海上喫水線」「発電船内喫水線」双方の喫水線設置を行ない各喫水線の活用に依る逆設置回転扇を図１の通り設置する事とする。
【発明を実施するための形態】
〔図１〕回転扇の最良活用となる、回転扇の持つ広大な空間活用方法をいろいろと思考中に偶然にも二段の喫水線設置に依る逆設置形回転扇として設置を行なえば、広大な空間確保と同時にこの空間活用に依る強力な浮力確保も可能となる事を発見したものである。
まず回転扇を逆設置回転扇として設置を行なう為に「外海海水直接侵入貯留水槽」「海中浮力安定固定内水槽」を各々独立水槽として設置をし、「回転扇内海上喫水線」部分の水位は常時「外海喫水線」とほぼ同水位に近い状態にての設置が行なわれ、「発電船内喫水線」部分の水位は適宜「回転扇内海上喫水線」水位より数ｍ下段に設置が行なわれる事とし、その水位差の出現を活用して逆設置形回転扇の設置が行なわれ、その広大な「浮力創出空間」「回転扇内第１浮力空間」双方空間の活用利用に依る数百ｔの重量物である「円型鋼鉄容器」の設置が行なわれ、当然この重量物の重力負荷軽減の為に「浮力活用海中空間」部分も設置される事とする。
そしてこの重量物逆設置回転扇の回転稼動の為に、「高圧海水噴出機」と「回転稼動強化ギア装置」の稼動の為の「回転モーター」等の設置が行なわれ、「円型鋼鉄容器」を含む逆設置回転扇が段々と高速回転となり、数台の発電機の高速回転稼動を行なう全体図である。
【要約】      （修正有）【課題】将来の強力な発電装置設備となる回転扇発電等のより良い強力な発電方法を思考中に、従来の回転扇方法に於いての広大な回転扇内空間の活用方法を思考中に偶然に回転扇の逆設置方法に依る大容量空間を活用を海中発電船を提供する。【解決手段】確実な各々上下喫水線の常時確保を安定した状態で確保する為に１番大切な海中発電船本体の確実な海中固定設置の為に、海中発電船内に設置された船内創出浮力調整水槽を設置し、その水槽内に海水の流入に依る水槽内喫水線部分を設置をし、調整水槽内海中空間を創出設置をし、この海中空間設置に依る強烈な浮力の現出と同時に本海中船本体を数十箇所の巨石等の入った重量物容器等の海底投入設置物をロープ等にて連結設置を行ない、確実で完全な海中発電船の重力活用設置を行ない、安定した発電船内の外海海水直接侵入貯留水槽、海水浮力安定固定内水槽双方に順次海水の流入を行ない安定した両喫水線の出現となる。【選択図】図１【図１】
0005622132.tif 000002